(57)【特許請求の範囲】
【請求項１】
外周に番号を付設した円板２枚を適間隔に並設してなる回転体適数箇を同時或は別々に回転が可能となるよう任意間隔に回転軸上に設けて回転体外周が水槽上端より出ないよう水槽内に設け、速度変更可能なモーターにて回転体を低速回転可能とし、回転体外周内側に挟持金具を設け、円筒で蓋付きの筒体からなる収納筒におとりを入れ挟持金具にて両端の挟止を可能とし、開閉可能な上蓋を外槽上部に設け、水槽を外槽内に設置し覗窓を外槽前面に設け、水槽底部より給水・給空を、又外槽下方より水槽上部よりオーバーフローした水の排水を可能としたおとり設定手段と、
ラックとピニオン及びコイルスプリングとストッパーなどのスライド機能にて回転体に対応して上蓋に設けた取出口を覆う開閉蓋の開閉を可能とした取出口開閉手段と、
購入者が自由におとりを選択できるための表示を外槽前面の最適位置に一箇所或は適数箇の回転体に対して個々に設けるようにした選択手段と、おとりが長時間生存出来る為の水温・水流・停電等の故障や作動中の異常が発生した場合、これをセンサーにより感知し制御コンピューターに伝達しその状態を解決するために対処するようにした制御手段とを備えたことを特徴とするおとり自動販売装置。
【発明の詳細な説明】
【０００１】
【産業上の利用分野】
本発明は鮎の友釣りに用いるおとり（生きた鮎）を店の人が購入する釣人に対応する必要がなく、早朝・夜間においても購入者に自由に購入出来、販売者の省力化がはかれることが出来るようにしたおとり自動販売装置に関するものである。
【０００２】
【従来の技術】
鮎の習性を利用し毎年６月前後から始まる友釣には必ずおとり（生きた元気の良い鮎）が必要である。
このおとりは川の水を引き、常に水が変わるようにした水槽で元気よく遊泳させて準備しているおとりの販売店で販売され、釣人はこの販売店に行っておとりを購入していた。
この販売店は友釣に来た釣人からおとりを求められると、夜明け前の暗い内であろうと時刻を問わず販売店の人が、適数匹を網ですくい別の容器に移しおとりとして使用出来るかの確認をしながらおとり缶に求められた必要数を入れて販売をしていた。
【０００３】
【発明が解決しようとする課題】
このように水槽で生きた鮎の販売のため、釣人は暗い内に早く到着して良い釣り場所を取ろうとするため、まだ釣が出来ないうちにおとりを求めて来るため、販売店の人も相当早く起きて店を開けておかねばならない。
毎日この状態が続けば、特に熱い夏場においては寝不足となり体力的にも大変である。
又その都度鮎を大切に取り扱わないと弱っておとりにならないので神経を鮎に集中させたりしているため、おとり以外の他の釣具購入の釣人への対応がおろそかになる。
更に他の釣人に気を使っていると、網で水槽より鮎を取り出す時に鮎を弱らせたり傷を付けたりしてしまいおとりとして使用出来なくなるなどおとり販売上非常に不都合を感じていた。
【０００４】
【課題を解決するための手段】
本発明はこのような不都合を解消し、いつでも自由に釣人の要望に答えて元気の良いおとりの自動販売が出来るようにしたおとり自動販売装置を提供せんとするものである。
外周に番号を付設した円板２枚を適間隔に並設してなる回転体適数箇を同時に或は別々に回転が可能となるよう任意間隔に回転軸上に設けて回転体外周が水槽上端より出ないよう水槽内に設け、速度変更可能なモーターにて回転体を低速回転可能とし、回転体外周内側に弾性を有する挾持金具を設け、円筒で蓋付きの筒体からなる収納筒におとりを入れ挾持金具にて両端の挾止を可能とし、開閉可能な上蓋を外槽上部に設け、水槽を外槽内に設置し覗窓を外槽前面に設け、水槽底部より給水装置・空気供給具装置で給水・給空を、又外槽下方より排水口にて水槽上部よりオーバフローした水の排水を可能としたおとり設定手段と、
ラックとピニオン及びコイルスプリングとストッパーなどのスライド機能にて回転体に対応して上蓋に設けた取出口を覆う開閉蓋の開閉を可能とした取出口開閉手段と、
【０００５】
営業中を表示する営業表示灯及び休業中を表示する休業表示灯と、回転体の設置数に対応する記号を設けたＡ・Ｂ・Ｃ・Ｄ・・・の記号ボタン最上段に収納筒の設置番号を照合する０から９までの数字を記入した数字ボタンを記号ボタンの下にまとめた購入用表示盤と、
札用挿入口を上段にその下にコイン投入口と返却用ボタンとお釣用ボタンを配置し、更にその下にレシート発行口を設けた金銭用表示盤と、
お金の返却或はお釣用の返却口とを外槽前面最適位置に一箇所或は回転体それぞれに対して個々に設けるようにした選択手段と、
販売のため各手段が作動中に異常が生じた時、その異常を各センサーがキャッチして制御用コンピューターに伝達し電話回線等で解決するようにした販売管理や、
おとりを最良の状態で生かしておくため水温・水位・給水・溶存酸素の異常や停電等の故障が生じた時、それらを各センサーがキャッチして制御コンピューターに伝達し対処するようにしたおとり管理や、
コインの投入・レシート発行などの売上に関する金銭管理や音声・避雷・漏電管理を行うようにした制御手段との組合わせとしたものである。
【０００６】
【作用】
回転体の低速回転と、常時給水と排水が行われているので、水槽内の水温の上昇を抑え溶存酸素を充分に補給出来ているため、収納筒内のおとりは休ませた状態であるが充分に休養し、収納筒から出しておとり缶に移すと元気良く泳ぎおとりとして使用することが出来る。
又釣人はいつでも自由に覗窓より見ながら選択し音声による指示に従って購入することが出来る。
【０００７】
【実施例】
以下本発明の実施例を図面について説明する。
本実施例は複数箇（４箇）の回転体が同時回転し、標示手段も一箇所の場合である。
図中１はおとり設定手段を具体化したおとり設定装置全体を示し、２は上部を開口した箱形の外槽であって、前面２ａに透明板２ｃで密封した覗窓２ｂを設け、排水口３を側面下方に設け、上部に上蓋４を開閉可能に設けている。
５は上部を開口し外槽２より小さくした箱形の水槽であって、外槽１内に底部を浮かして設けている。
６は円板６ａ２枚を適間隔で並設し中心にボス６ｂを設けて一体とした回転体であって、円板６ａ外周に外方に向けて設けたフランジに数字からなる番号６ｂを付設し、回転軸７に４箇を適間隔に設け、該回転体６外周上端が水槽５の上縁５ａより突出しないで常に水中となるよう水槽５内に軸受８にて回転軸７を水平に設けて回転を可能としている。
【０００８】
９はモーターであって、外槽１と水槽５間適位置に設け隔壁１０にて浸水しないよう覆い前記回転軸７を回転可能に連結している。
１１は円筒体で上面を僅少凹ませた蓋１１ａ付きの収納筒であって、外周面及び端面に流通用の小穴１１ｂを多数穿設している。
１２は先端を折曲げて受片１２ａとし中央付近を凸状として挾持部１２ｂとしてなる挾持金具であって、前記回転体６の円板６ａ外周の内側に挾持部１２ｂを対向させて受片１２ａを中心側となるよう適間隔に設け、前記収納筒１１両端を挾持部１２ｂにて挾持し受片１２ａにて収納筒１１の円板６ａ中央部への移動を受止めるようにしている。
１３は取出口開閉手段を具体化した取出口開閉装置全体を示し、１４は溝形の案内材を長細形に組合わせた案内枠であって、一面に補助板１４ａを設けて取出口１５を形成し、前記蓋４に回転体６に対応させて複数箇を補助板１４ａを上方にして設置している。
１６は案内枠１４の巾と略同一で長さが略半分の大きさとした開閉蓋であって、案内枠１４内に挿設している。
【０００９】
１７はラックであって、前記開閉蓋１６下面適２ケ所に長手方向に直交するよう設けている。
１８は蓋４裏面に設置した軸受１９にて支持する軸２０に設けたピニオンであって、前記ラック１７と噛合している。
２１はカバー材２２で覆って防水した正逆転可能な開閉用モーターであって、軸２０に設けた歯車２３に直結する歯車で連結し、ピニオン１８を回転させてラック１７を介して開閉蓋１６の開閉を可能としている。
２４は選択手段を具体化した表示器具全体を示し、２５ａは営業中を表示する営業表示灯、２５ｂは休業中を表示する休業表示灯であって、点灯時には赤色となるようにして覗窓３の上方の外槽２の前面２ａに設けている。
２６は外槽２の前面２ａ上方端に設けた購入用表示盤であって、回転体６の設置数４箇に対応してＡ・Ｂ・Ｃ・Ｄの記号を記入した４箇の記号ボタン２７を最上段に設け、回転体６に記入している番号６ｂを照合する０から９までの数字を記入した数字ボタン２８をその下に配置している。
２９は購入用表示盤２６下方に設けた金銭用表示盤であって、
【００１０】
３０は札用挿入口を上段に、その下にコイン投入口３１に並設して返却用ボタン３２とお釣用ボタン３３を設け更にその下に売上状態を記載しているレシートのレシート発行口３４を設けている。
３５は返却或はお釣用の返却口であって、金銭用表示盤２９下方に設けている。
３６は来客をキャッチする来客センサーであって、外槽２前面２ａ内側上面に設けている。
３７は制御手段を具体化した制御装置全体を示し、３８は制御用コンピューターであって各センサー（図では省略）からの入力をコントロールして販売管理とおとり管理をなし各装置が最良の状態で作動するようにしている。
３９は給水装置（図では省略）に接続する給水パイプであって、前記外槽２より水槽５上部を通って水槽５底部よりの給水を可能としている。
４０は空気供給装置（図では省略）に接続する空気供給パイプであって、外槽２より水槽５上部より外槽２を通って水槽５底部より空気の供給を可能としている。
【００１１】
使用に当たっては、上蓋４を開いて水槽５に給水パイプ３９より水を入れる。水槽５に満水になると、おとりを入れた収納筒１１を挾持金具１２間に手際良く短時間でセットする。
収納筒１１のセットが終わると、上蓋４を閉じて電源（図では省略）を入れてモーター９を作動させ回転体６を１／４ｒｐｍでゆっくり回転させる。
そして営業表示灯２５ａの点灯を確認して釣人が来ると、来客センサー３６がキャッチしそれを制御用コンピューター３８に伝達する。
釣人は覗窓２ｂより見て収納筒１１を選びその番号６ｂを確認し購入用表示盤２６の記号ボタン２７と数字ボタン２８を押す。例えばＡ列の２番の収納筒１１の場合にはＡの記号ボタン２７と数字２の数字ボタン２８を押す。
その後コイン投入口３１にお金を入れると制御用コンピューター３８に伝達されその指令が送られてモーター９の回転を６ｒｐｍに早める。
【００１２】
そして収納筒１１（Ａ列の２番の収納筒）が取出口１５下方に来ると位置決めセンサー（図では省略）が働き制御用コンピューター３８へ伝達しモーター９の回転を停止すると共に、開閉用モーター２１を正回転しピニオン１８とラック１７とによって開閉蓋１６を開く。
釣人が開いた取出口１５より収納筒１１を取り出すとセット感知センサー（図では省略）が働き制御用コンピューター３８へ伝達し、音声ガイダンス終了後、数秒のちに開閉用モーター２１を逆回転しピニオン１８とラック１７とによって開閉蓋１６を閉じ、レシート発行口３４よりレシートが出て来るので釣人はそれを見て購入内容を確認しておとりを持って行く。
開閉蓋１６が閉じた後、モーター９が作動し１／４ｒｐｍで回転しながら次の釣人が来るまで待っている。
この間水槽５へは給水パイプ３９にて水槽５底部より常時給水され水槽５上部をオーハーフローした水は外槽２底部に溜まり排水口３を通って槽外へ排水され、時には購入者のおとり缶の水として利用される。
【００１３】
収納筒１１の補充は、モーター９を止め上蓋４を開け新しい収納筒１１を手で挟持金具１２間に嵌合させてセットして行く。
このように販売のための管理の全てを制御装置３７にて行われている。
一方この販売中や待機中に、水位・水温・給水・溶存酸素・故障の異常が発生した場合は、それらを感知するために設置した各センサーより制御用コンピューター３８に伝達されその状態を解決するために対応するよう処理する。
このようにおとりを最良の状態で生存させるためのおとり管理の全てを制御装置３７にて行われている。
その他の管理としては、音声関係・売上関係・避雷・漏電・販売者への電話回線による異常連絡なども行うようにしている。
【００１４】
【発明の効果】
上述の如く本発明は、おとりを入れた収納筒を水槽内で回転体にて低速回転させ給排水を行い、異常が生じた時その対応を迅速に行うようにしたことによって、回転体の回転にて水槽内をゆるやかに撹拌し底部からの給水とによって水が溜まって古くなることなくおとりに適した水が維持出来、収納筒内であってもおとりが十分休養し鋭気を貯えることが出来ると共に、販売店の人も暗い内から起きている必要もなく、且つ釣人も友釣シーズン中は気楽に自由にいつでもおとりの購入が出来る等の特長を有し、産業利用上非常に優れた発明である。
【図面の簡単な説明】
【図１】本発明実施例の一部を破断した正面図である。
【図２】本発明実施例の一部を破断した平面図である。
【図３】本発明実施例の一部を破断した右側面図である。
【図４】本発明実施例の取出口開閉装置の平面図である。
【図５】本発明実施例の取出口開閉装置の底面図である。
【図６】図４のＸ−Ｘ断面図である。
【図７】図４のＹ−Ｙ断面図である。
【図８】本発明の挾持金具の正面図である。
【図９】本発明の挾持金具の側面図である。
【図１０】本発明の挾持金具の平面図である。
【図１１】本発明実施例の収納筒の斜視図である。
【符号の説明】
１      おとり設定装置
２      外槽
２ａ    前面
２ｂ    覗窓
２ｃ    透明板
３      排水口
４      上蓋
５      水槽
６      回転体
６ａ    円板
６ｂ    番号
７      回転軸
８      軸受
９      モーター
１０    隔壁
１１    収納筒
１１ａ  蓋
１１ｂ  小穴
１２    挟持金具
１２ａ  受片
１２ｂ  挟持部
１３    取出口開閉装置
１４    案内板
１４ａ  補助板
１５    取出口
１６    開閉蓋
１７    ラック
１８    ピニオン
１９    軸受
２０    軸
２１    開閉用モーター
２２    カバー材
２３    歯車
２４    表示器具
２５ａ  営業表示灯
２５ｂ  休業表示灯
２６    購入用表示盤
２７    記号ボタン
２８    数字ボタン
２９    金銭用表示盤
３０    札用挿入口
３１    コイン投入口
３２    返却用ボタン
３３    お釣用ボタン
３４    レシート発行口
３５    返却口
３６    来客センサー
３７    制御装置
３８    制御用コンピューター
３９    給水パイプ
４０    空気供給パイプ
【図１】
0003805819.tif 000002
【図２】
0003805819.tif 000003
【図３】
0003805819.tif 000004
【図４】
0003805819.tif 000005
【図５】
0003805819.tif 000006
【図６】
0003805819.tif 000007
【図７】
0003805819.tif 000008
【図８】
0003805819.tif 000009
【図９】
0003805819.tif 000010
【図１０】
0003805819.tif 000011
【図１１】
0003805819.tif 000012